(57)【要約】【課題】Ｒ，Ｇ，Ｂのレベルをマニュアル操作で変化させて色温度調整を行い、しかも、輝度を一定に維持する操作を行うことなく輝度の変化を防止する。【解決手段】Ｒ，Ｇ，Ｂの値を変化させるための操作部３と、色度ｘ，ｙ及び輝度Ｙの値が保存された記憶部６と、外部の映像表示装置の色温度を設定する設定制御部５とを備え、設定制御部５は、記憶部６から読出した色度ｘ，ｙ及び輝度Ｙの値をＲ，Ｇ，Ｂの値に変換し、変換したＲ，Ｇ，Ｂの値を調整の開始点として、操作部３の操作後のＲ，Ｇ，Ｂの値を算出する第１の処理と、第１の処理で算出したＲ，Ｇ，Ｂの値を色度ｘ，ｙ及び輝度Ｙの値に変換し、変換した色度ｘ，ｙ及び輝度Ｙの値のうちの輝度Ｙの値を記憶部内の輝度Ｙの値に置換する第２の処理と、第２の処理で変換及び置換した色度ｘ，ｙ及び輝度Ｙの値を色温度の設定値として出力する第３の処理とを行う。【選択図】図１
2009077312.tif 000002
【特許請求の範囲】
【請求項１】
Ｒ（赤），Ｇ（緑），Ｂ（青）のレベルを個別に変化させるための操作部
を有する色温度調整装置において、
色度ｘ，ｙ及び輝度Ｙの値が保存されている記憶部と、
外部の映像表示装置の色温度を設定する設定制御部と
を備え、
前記設定制御部は、
前記記憶部から色度ｘ，ｙ及び輝度Ｙの値を読み出し、読み出した色度ｘ，ｙ及び輝度Ｙの値をＲ，Ｇ，Ｂの値に変換し、変換したＲ，Ｇ，Ｂの値を調整の開始点として、前記操作部の操作後のＲ，Ｇ，Ｂの値を算出する第１の処理と、
前記第１の処理で算出したＲ，Ｇ，Ｂの値を色度ｘ，ｙ及び輝度Ｙの値に変換し、変換した色度ｘ，ｙ及び輝度Ｙの値のうちの輝度Ｙの値を、前記記憶部に保存されている輝度Ｙの値に置換する第２の処理と、
前記第２の処理で変換及び置換した色度ｘ，ｙ及び輝度Ｙの値を、色温度の設定値として出力する第３の処理と
を行うことを特徴とする色温度調整装置。
【請求項２】
請求項１に記載の色温度調整装置において、
前記設定制御部は、
前記第２の処理で変換及び置換した色度ｘ，ｙ及び輝度Ｙの値をＲ，Ｇ，Ｂの値に変換し、変換したＲ，Ｇ，Ｂの値を次回の調整の開始点とする処理
をさらに行うことを特徴とする色温度調整装置。
【請求項３】
請求項１に記載の色温度調整装置において、
色温度調整の終了を指示するための指示部
をさらに備え、
前記設定制御部は、
前記指示部によって色温度調整の終了が指示されたことに応じて、前記第２の処理で変換した色度ｘ，ｙの値を、それまで前記記憶部に保存されていた色度ｘ，ｙの値の代わりに前記記憶部に保存する処理
をさらに行うことを特徴とする色温度調整装置。
【請求項４】
Ｒ（赤），Ｇ（緑），Ｂ（青）のレベルを個別に変化させる操作に基づいて色温度を調整する方法において、
色度ｘ，ｙ及び輝度Ｙの値が保存されている記憶部から色度ｘ，ｙ及び輝度Ｙの値を読み出し、読み出した色度ｘ，ｙ及び輝度Ｙの値をＲ，Ｇ，Ｂの値に変換し、変換したＲ，Ｇ，Ｂの値を調整の開始点として、前記操作後のＲ，Ｇ，Ｂの値を算出する第１のステップと、
前記第１のステップで算出したＲ，Ｇ，Ｂの値を色度ｘ，ｙ及び輝度Ｙの値に変換し、変換した色度ｘ，ｙ及び輝度Ｙの値のうちの輝度Ｙの値を、前記記憶部に保存されている輝度Ｙの値に置換する第２のステップと、
前記第２のステップで変換及び置換した色度ｘ，ｙ及び輝度Ｙの値を、色温度の設定値として出力する第３のステップと
を有することを特徴とする色温度調整方法。
【請求項５】
表示部と、
Ｒ（赤），Ｇ（緑），Ｂ（青）のレベルを個別に変化させるための操作部と
を有する映像表示装置において、
色度ｘ，ｙ及び輝度Ｙの値が保存されている記憶部と、
前記表示部の色温度を設定する設定制御部と設定制御部と  
を備え、
前記設定制御部は、
前記記憶部から色度ｘ，ｙ及び輝度Ｙの値を読み出し、読み出した色度ｘ，ｙ及び輝度Ｙの値をＲ，Ｇ，Ｂの値に変換し、変換したＲ，Ｇ，Ｂの値を調整の開始点として、前記操作部の操作後のＲ，Ｇ，Ｂの値を算出する第１の処理と、
前記第１の処理で算出したＲ，Ｇ，Ｂの値を色度ｘ，ｙ及び輝度Ｙの値に変換し、変換した色度ｘ，ｙ及び輝度Ｙの値のうちの輝度Ｙの値を、前記記憶部に保存されている輝度Ｙの値に置換する第２の処理と、
前記第２の処理で変換及び置換した色度ｘ，ｙ及び輝度Ｙの値を、色温度を制御するための設定値として前記表示部に供給する第３の処理と
を行うことを特徴とする映像表示装置。
【請求項６】
請求項５に記載の映像表示装置において、
前記表示部は、発光ダイオードをバックライトに用いた液晶ディスプレイであり、前記発光ダイオードの駆動を制御する駆動制御部を有しており、
前記設定制御部は、前記第３の処理において、前記駆動制御部に色度ｘ，ｙ及び輝度Ｙの値を供給し、
前記駆動制御部は、前記設定制御部から供給された色度ｘ，ｙ及び輝度Ｙの値をＲ，Ｇ，Ｂの値に変換し、変換したＲ，Ｇ，Ｂの値に応じた駆動電流を前記発光ダイオードに供給する
ことを特徴とする映像表示装置。
【発明の詳細な説明】
【技術分野】
【０００１】
本発明は、映像表示装置の色温度を調整する装置及び方法や、色温度の調整機能を有する映像表示装置に関する。
【背景技術】
【０００２】
テレビジョン放送局や映像制作の分野で用いられる放送・業務用モニターでは、色温度の調整方法として、Ｒ（赤），Ｇ（緑），Ｂ（青）のレベルをマニュアル操作で個別に変化させるという方法が採用されていることが多い。こうした調整方法は、色度のような実際には目に見えない情報のレベルを変化させる場合よりも、直感的な色温度調整を行うことができる。
【０００３】
操作者は、例えば色温度を下げたい（赤みがかった白にしたい）場合には、モニターの画面を見ながらＧのレベルとＢのレベルとを徐々に下げる操作を行い、意図している色温度にまで下がったと判断すると、操作を停止する。
【０００４】
ところが、Ｒ，Ｇ，Ｂのレベルを変化させると、色度が変化するだけでなく、輝度も変化してしまう。例えば、前述のようにＧのレベルとＢのレベルとを徐々に下げると、モニターの画面が徐々に暗くなってしまう。
【０００５】
このようにモニターの画面の明るさが変化すると、画面を見ながらの色温度調整を行いにくく、意図していた色温度に設定できないこともある。
【０００６】
従来、こうした輝度の変化を伴わずに色温度を調整するためには、操作者が、Ｒ，Ｇ，Ｂのレベルのうち本来の色温度調整のために必要なレベルを変化させるだけでなく、画面の明るさの変化を見ながら残りのレベルを逆に変化させることによって輝度を一定に維持するという、煩雑な操作（画面の明るさの変化を追跡しながらの操作という意味で、“トラッキング”とも呼んでいる）を行っていた。例えば、色温度調整のためにＢのレベルを下げる場合には、いったんＢのレベルを下げた後、Ｇのレベルを上げることによって輝度を上げ、その後再びＢのレベルを下げることによって意図する色温度に設定していた。
【０００７】
しかし、このようなトラッキングを行いながら色温度を調整する方法では、調整作業が煩雑であり、調整に要する時間も長くなってしまう。
【０００８】
また、文献上、ホワイドバランスの調整に関するものであるが、従来のようなマニュアル操作を不要とし、且つ、輝度の変化を防止した技術が提案されている（特許文献１）。しかし、この技術は、マニュアル操作による調整を排除したものであるため、従来と同じマニュアル操作による調整を行いつつ輝度の変化を防止したいというニーズがある場合、そのニーズに応えることはできない。
【０００９】
【特許文献１】特開平５−１４５９５６号公報
【発明の開示】
【発明が解決しようとする課題】
【００１０】
本発明は、上述の点に鑑み、従来と同じくＲ，Ｇ，Ｂのレベルをマニュアル操作で変化させることによって色温度調整を行い、しかも、前述のような輝度を一定に維持するための操作（トラッキング）を行うことなく輝度の変化を防止できるようにすることを課題とする。
【課題を解決するための手段】
【００１１】
この課題を解決するため、本発明に係る色温度調整装置は、
Ｒ，Ｇ，Ｂのレベルを変化させるための操作部
を有する色温度調整装置において、
色度ｘ，ｙ及び輝度Ｙの値が保存されている記憶部と、
外部の映像表示装置の色温度を設定する設定制御部と
を備え、
前記設定制御部は、
前記記憶部から色度ｘ，ｙ及び輝度Ｙの値を読み出し、読み出した色度ｘ，ｙ及び輝度Ｙの値をＲ，Ｇ，Ｂの値に変換し、変換したＲ，Ｇ，Ｂの値を調整の開始点として、前記操作部の操作後のＲ，Ｇ，Ｂの値を算出する第１の処理と、
前記第１の処理で算出したＲ，Ｇ，Ｂの値を色度ｘ，ｙ及び輝度Ｙの値に変換し、変換した色度ｘ，ｙ及び輝度Ｙの値のうちの輝度Ｙの値を、前記記憶部に保存されている輝度Ｙの値に置換する第２の処理と、
前記第２の処理で変換及び置換した色度ｘ，ｙ及び輝度Ｙの値を、色温度の設定値として出力する第３の処理と
を行うことを特徴とする。
【００１２】
この色温度調整装置では、操作部を操作してＲ，Ｇ，Ｂのレベルを変化させると、予め記憶部に保存されている色度ｘ，ｙ及び輝度Ｙの値に対応するＲ，Ｇ，Ｂの値を調整の開始点として、操作による変化後のＲ，Ｇ，Ｂの値に対応する色度ｘ，ｙ及び輝度Ｙの値が求められるが、この求められた色度ｘ，ｙ及び輝度Ｙの値のうち、輝度Ｙの値だけは、予め記憶部に保存されている輝度Ｙの値（すなわち操作部の操作とは無関係な一定の値）に置換される。そして、輝度Ｙの値だけをこの一定の値に置換した色度ｘ，ｙ及び輝度Ｙの値が、色温度の設定値として出力される。
【００１３】
このように、色度ｘ，ｙのほうはマニュアル操作による変化後のＲ，Ｇ，Ｂの値に対応するが、輝度Ｙのほうは常に一定となる色度ｘ，ｙ及び輝度Ｙが、色温度の設定値として出力される。これにより、従来と同じくＲ，Ｇ，Ｂのレベルをマニュアル操作で変化させることによって映像表示装置の色温度調整を行い、しかも、輝度を一定に維持するための操作（トラッキング）を行うことなく輝度の変化を防止することができる。
【００１４】
次に、本発明に係る色温度調整方法は、
Ｒ，Ｇ，Ｂのレベルを変化させる操作に基づいて色温度を調整する方法において、
色度ｘ，ｙ及び輝度Ｙの値が保存されている記憶部から色度ｘ，ｙ及び輝度Ｙの値を読み出し、読み出した色度ｘ，ｙ及び輝度Ｙの値をＲ，Ｇ，Ｂの値に変換し、変換したＲ，Ｇ，Ｂの値を調整の開始点として、前記操作後のＲ，Ｇ，Ｂの値を算出する第１のステップと、
前記第１のステップで算出したＲ，Ｇ，Ｂの値を色度ｘ，ｙ及び輝度Ｙの値に変換し、変換した色度ｘ，ｙ及び輝度Ｙの値のうちの輝度Ｙの値を、前記記憶部に保存されている輝度Ｙの値に置換する第２のステップと、
前記第２のステップで変換及び置換した色度ｘ，ｙ及び輝度Ｙの値を、色温度の設定値として出力する第３のステップと
を有することを特徴とする。
【００１５】
この色温度調整方法では、Ｒ，Ｇ，Ｂのレベルを変化させる操作が行われると、予め記憶部に保存されている色度ｘ，ｙ及び輝度Ｙの値に対応するＲ，Ｇ，Ｂの値を調整の開始点として、操作による変化後のＲ，Ｇ，Ｂの値に対応する色度ｘ，ｙ及び輝度Ｙの値が求められるが、この求められた色度ｘ，ｙ及び輝度Ｙの値のうち、輝度Ｙの値だけは、予め記憶部に保存されている輝度Ｙの値（すなわち操作部の操作とは無関係な一定の値）に置換される。そして、輝度Ｙの値だけをこの一定の値に置換した色度ｘ，ｙ及び輝度Ｙの値が、色温度の設定値として出力される。
【００１６】
このように、色度ｘ，ｙのほうはマニュアル操作による変化後のＲ，Ｇ，Ｂの値に対応するが、輝度Ｙのほうは常に一定となる色度ｘ，ｙ及び輝度Ｙが、色温度の設定値として出力される。これにより、従来と同じくＲ，Ｇ，Ｂのレベルをマニュアル操作で変化させることによって映像表示装置の色温度調整を行い、しかも、輝度を一定に維持するための操作（トラッキング）を行うことなく輝度の変化を防止することができる。
【００１７】
次に、本発明に係る映像表示装置は、
表示部と、
Ｒ，Ｇ，Ｂのレベルを変化させるための操作部と
を有する映像表示装置において、
色度ｘ，ｙ及び輝度Ｙの値が保存されている記憶部と、
前記表示部の色温度を設定する設定制御部と設定制御部と  
を備え、
前記設定制御部は、
前記記憶部から色度ｘ，ｙ及び輝度Ｙの値を読み出し、読み出した色度ｘ，ｙ及び輝度Ｙの値をＲ，Ｇ，Ｂの値に変換し、変換したＲ，Ｇ，Ｂの値を調整の開始点として、前記操作部の操作後のＲ，Ｇ，Ｂの値を算出する第１の処理と、
前記第１の処理で算出したＲ，Ｇ，Ｂの値を色度ｘ，ｙ及び輝度Ｙの値に変換し、変換した色度ｘ，ｙ及び輝度Ｙの値のうちの輝度Ｙの値を、前記記憶部に保存されている輝度Ｙの値に置換する第２の処理と、
前記第２の処理で変換及び置換した色度ｘ，ｙ及び輝度Ｙの値を、色温度を制御するための設定値として前記表示部に供給する第３の処理と
を行うことを特徴とする。
【００１８】
この映像表示装置は、本発明に係る色温度調整装置を搭載したものであり、色度ｘ，ｙのほうはマニュアル操作による変化後のＲ，Ｇ，Ｂの値に対応するが、輝度Ｙのほうは常に一定となる色度ｘ，ｙ及び輝度Ｙが、色温度の設定値として表示部に供給される。これにより、従来と同じくＲ，Ｇ，Ｂのレベルをマニュアル操作で変化させることによって色温度調整を行い、しかも、トラッキングを行うことなく輝度の変化を防止することができる。
【発明の効果】
【００１９】
本発明に係る色温度調整装置，色温度調整方法によれば、Ｒ，Ｇ，Ｂのレベルをマニュアル操作で変化させることによって外部のモニターの色温度調整を行い、しかも、輝度を一定に維持するための操作（トラッキング）を行うことなく輝度の変化を防止することができる。これにより、直感的な色温度調整を行うことができ、しかも、調整作業が容易になり、調整に要する時間も短縮されるという効果が得られる。
【００２０】
本発明に係る映像表示装置によれば、Ｒ，Ｇ，Ｂのレベルをマニュアル操作で変化させることによって映像表示装置の表示部の色温度調整を行い、しかも、輝度を一定に維持するための操作（トラッキング）を行うことなく輝度の変化を防止することができる。これにより、直感的な色温度調整を行うことができ、しかも、調整作業が容易になり、調整に要する時間も短縮されるという効果が得られる。
【発明を実施するための最良の形態】
【００２１】
以下、本発明を放送・業務用モニターに適用した実施の形態を、図面を用いて具体的に説明する。図１は、本発明を適用した放送・業務用モニターの全体構成を示すブロック図である。この放送・業務用モニターは、操作部であるコントロールユニット１と、モニター本体である映像表示装置７とが分離したタイプのものである。
【００２２】
コントロールユニット１の筐体表面には、操作パネル２が設けられている。操作パネル２には、本発明に関連する操作手段として、液晶表示装置７の色温度調整のためにＲ，Ｇ，Ｂのレベルを個別に変化させるための３個１組のノブ（つまみ）３と、色温度調整の開始／終了を指示するためのエンター釦４とが設けられている。
【００２３】
コントロールユニット１の内部には、マイクロプロセッサから成るユーザー設定制御部５と、不揮発性のメモリ６とが設けられている。操作パネル２の操作状態を示す信号は、ユーザー設定制御部５に供給される。
【００２４】
映像表示装置７は、ＬＥＤ（発光ダイオード）をバックライトに用いた液晶ディスプレイである。図２は、この映像表示装置７の構成を示すブロック図である。映像表示装置７には、液晶パネル１０と、バックライト２０と、液晶パネル１０を駆動するＸドライバ回路３２及びＹドライバ回路３３と、外部からの入力映像信号が供給されるＲＧＢプロセス処理部３５と、映像表示装置７全体を制御する制御部３７と、バックライト２０を駆動制御するバックライト駆動制御部３８とが設けられている。 
【００２５】
ＲＧＢプロセス処理部３５に供給された映像信号は、クロマ処理等の信号処理や、コンポジット信号からＲＧＢ信号への変換処理を施されて、制御部３７に供給されるとともにＸドライバ回路３２に供給される。
【００２６】
制御部３７は、供給されるＲＧＢ信号に基づき、液晶パネル１０の駆動タイミングを制御する信号をＸドライバ回路３２及びＹドライバ回路３３に供給する。
【００２７】
図３は、液晶パネル１０及びバックライト２０の部分の構造を示す図である。液晶パネル１０は、アクティブマトリクス方式の透過型液晶パネルであり、ガラス板等から成る２枚の透明なＴＦＴ（薄膜トランジスタ）基板１１と対向電極基板１２とを対向配置させ、その間隙にＴＮ（ツイステッドネマチック）液晶１３を封入し、さらにＴＦＴ基板１１と対向電極基板１２を２枚の偏光板（図示略）で挟んだ構成となっている。
【００２８】
ＴＦＴ基板１１には、マトリックス状に配列された信号線１４及び走査線１５との各交点に、スイッチング素子としての薄膜トランジスタ１６と、画素電極１７とが設けられている。薄膜トランジスタ１６は、走査線１５により順次選択されるとともに、信号線１４から供給される映像信号を画素電極１７に書き込む。
【００２９】
対向電極基板１２の内側表面には、対向電極１８及びカラーフィルタ１９が形成されている。カラーフィルタ１９は赤色フィルタＣＦＲ，緑色フィルタＣＦＧ，青色フィルタＣＦＢの３つのセグメントに分割されており、各セグメントは各画素電極１７に１対１に対応している。
【００３０】
バックライト２０は、発光部２１と、光拡散板２２と、光学シート群２３（拡散シート，プリズムシート，偏光変換シート等を積層したもの）とで構成されている。
【００３１】
発光部２１は、赤色光を発光する赤色ＬＥＤ２４Ｒと、緑色光を発光する緑色ＬＥＤ２４Ｇと、青色光を発光する青色ＬＥＤ２４Ｂとが、基板上にそれぞれ多数個配置したものである。また、この基板上には、光センサ４１も複数個配設されている。発光部２１からの出射光は、光拡散板２２，光学シート群２３を順に通過して、液晶パネル１０に白色光として照射される。
【００３２】
図４は、発光部２１における赤色ＬＥＤ２４Ｒ，緑色ＬＥＤ２４Ｇ，青色ＬＥＤ２４Ｂ及び光センサ４１の配置状態を示す図であり、１個１個の赤色ＬＥＤ２４Ｒ，緑色ＬＥＤ２４Ｇ，青色ＬＥＤ２４Ｂを丸付きのＲ，Ｇ，Ｂの文字で表している。
【００３３】
発光部２１には、液晶パネル１０（図３）の表示エリアをＮ×Ｍに分割した領域に対応するようにして、Ｎ×Ｍ個の単位発光ブロック３０がマトリクス状に配置されている。（ここでは、Ｎ＝３、Ｍ＝６とし、１８個の単位発光ブロック３０をＡ１１〜Ａ３６として区別して表している。）
【００３４】
各単位発光ブロック３０は、１個ずつの赤色ＬＥＤ２４Ｒ，緑色ＬＥＤ２４Ｇ及び青色ＬＥＤ２４Ｂを１組として、ｎ組のＬＥＤを一列に配列したものである。
【００３５】
図５は、各単位発光ブロック３０におけるＬＥＤの接続状態を示す図である。各単位発光ブロック３０では、同じ色のＬＥＤ同士が直列接続されている。すなわち、ｎ個の赤色ＬＥＤ２４Ｒが直列接続されて赤色ＬＥＤ群３０Ｒとなり、ｎ個の緑色ＬＥＤ２４Ｇが直列接続されて緑色ＬＥＤ群３０Ｇとなり、ｎ個の青色ＬＥＤ２４Ｂが直列接続されて青色ＬＥＤ群３０Ｂとなっている。これにより、各単位発光ブロック３０に対して、赤色ＬＥＤ群３０Ｒに供給する駆動電流と、緑色ＬＥＤ群３０Ｇに供給する駆動電流と、青色ＬＥＤ群３０Ｂに供給する駆動電流とを互いに独立して制御することが可能になっている。
【００３６】
図２に示したバックライト駆動制御部３８には、図示は省略するが、発光部２１の各単位発光ブロック３０に１対１に対応して、Ｎ×Ｍ個のＬＥＤ駆動回路が設けられている。各ＬＥＤ駆動回路からは、対応する単位発光ブロック３０の赤色ＬＥＤ群３０Ｒ，緑色ＬＥＤ群３０Ｇ，青色ＬＥＤ群３０Ｂに独立して駆動電流が供給されるようになっている。
【００３７】
図４に示すように、発光部２１には、２個の単位発光ブロック３０毎に１個の光センサ４１を対応させるようにして、１２個の光センサ４１が配置されている。（単位発光ブロック３０のうちＡ１１及びＡ１２に対応する光センサ４１をＰ１１、Ａ１３及びＡ１４に対応する光センサ４１をＰ１２、…というようにして、１２個の光センサ４１をＰ１１〜Ｐ３３として区別して表している。）
【００３８】
各光センサ４１は、図示は省略するが、赤色光の光量を検出するセンサと、緑色光の光量を検出するセンサと、青色光の光量を検出するセンサとで構成されており、対応する単位発光ブロック３０からの赤色光，緑色光，青色光の光量をそれぞれ検出する。各光センサ４１の検出出力は、図２に示したバックライト駆動制御部３８に供給される。
【００３９】
次に、図１に示したコントロールユニット１の説明に移る。メモリ６には、工場からの出荷時には、色度ｘ，ｙ及び輝度Ｙの初期値が保存されている。ユーザー設定制御部５は、ユーザーによる操作パネル２のノブ３及びエンター釦４の操作に基づき、このメモリ６内の色度ｘ，ｙ及び輝度Ｙの値を用いて、映像表示装置７の色温度を調整する処理を行う。
【００４０】
図６は、この色温度調整処理を示すフローチャートである。この色温度調整処理は、エンター釦４で色温度調整の開始が指示されるとスタートし、最初に、メモリ６に現在保存されている色度ｘ，ｙ及び輝度Ｙの値から、ユーザーの操作による色温度設定の開始点となるＲ，Ｇ，Ｂの値を算出する（ステップＳ１）。
【００４１】
このステップＳ１では、具体的には、メモリ６から色度ｘ，ｙ及び輝度Ｙの値を読み出し、読み出した色度ｘ，ｙ及び輝度Ｙの値を、まず下記の計算によってＸＹＺ表色系の三刺激値Ｘ，Ｙ，Ｚに変換する。（＊は掛け算記号である。）
Ｘ＝ｘ＊（Ｙ／ｙ）
Ｙ＝Ｙ
Ｚ＝（１−ｘ−ｙ）＊（Ｙ／ｙ）
【００４２】
そして、この三刺激値Ｘ，Ｙ，Ｚの値を、下記のマトリクス計算によってＲ，Ｇ，Ｂの値に変換し、その変換したＲ，Ｇ，Ｂの値を開始点とする。
Ｒ＝ａ１１＊Ｘ＋ａ１２＊Ｙ＋ａ１３＊Ｚ
Ｇ＝ａ２１＊Ｘ＋ａ２２＊Ｙ＋ａ２３＊Ｚ
Ｂ＝ａ３１＊Ｘ＋ａ３２＊Ｙ＋ａ３３＊Ｚ
【００４３】
なお、マトリクス係数ａ１１〜ａ３３としては、一例として、次の値を使用する。
ａ１１＝  ３.２４０４８１３４３２０
ａ１２＝−１.５３７１５１５１６２７
ａ１３＝−０.４９８５３６３２６１７
ａ２１＝−０.９６９２５４９５０００
ａ２２＝  １.８７５９９０００１４９
ａ２３＝  ０.０４１５５５９２６５６
ａ３１＝  ０.０５５６４６６３９１４
ａ３２＝−０.２０４０４１３３８３７
ａ３３＝  １.０５７３１１０６９６５
【００４４】
図６に示すように、ステップＳ１に続き、操作パネル２（図１）から、ノブ３の操作量を示す情報を取得する（ステップＳ２）。そして、ノブ３の操作量から、操作後のＲ，Ｇ，Ｂの値（ステップＳ１で算出した開始点の値に対して、ノブ３の操作量だけ変化した値）を算出する（ステップＳ３）。続いて、この算出したＲ，Ｇ，Ｂの値を、色度ｘ，ｙ及び輝度Ｙの値に変換する（ステップＳ４）。
【００４５】
ステップＳ４では、具体的には、ステップＳ１とは逆に、算出したＲ，Ｇ，Ｂの値を、ＸＹＺ表色系の三刺激値にマトリクス変換した後、色度ｘ，ｙ及び輝度Ｙの値に変換する。例えばステップＳ３で算出した値がＲのみＲ’に変化していた（ノブ３でＲのレベルのみを変化させる操作が行われた）場合には、ステップＳ４では、下記のようにしてＲ’，Ｇ，Ｂに対応する色度ｘ’，ｙ’及び輝度Ｙ’が求められることになる。
Ｘ’＝ｂ１１＊Ｒ'＋ｂ１２＊Ｇ＋ｂ１３＊Ｂ
Ｙ’＝ｂ２１＊Ｒ'＋ｂ２２＊Ｇ＋ｂ２３＊Ｂ
Ｚ’＝ｂ３１＊Ｒ'＋ｂ３２＊Ｇ＋ｂ３３＊Ｂ
ｘ' ＝Ｘ’/ （Ｘ’＋Ｙ’＋Ｚ’）
ｙ' ＝Ｙ’/ （Ｘ’＋Ｙ’＋Ｚ’）
【００４６】
なお、マトリクス係数ｂ１１〜ｂ３３としては、一例として、次の値を使用する。
ｂ１１＝０.４１２４５３
ｂ１２＝０.３５７５８０
ｂ１３＝０.１８０４２３
ｂ２１＝０.２１２６７１
ｂ２２＝０.７１５１６０
ｂ２３＝０.０７２１６９
ｂ３１＝０.０１９３３４
ｂ３２＝０.１１９１９３
ｂ３３＝０.９５０２２７
【００４７】
図６に示すように、ステップＳ４に続き、変換した色度ｘ，ｙ及び輝度Ｙの値のうちの輝度Ｙの値のみを、メモリ６に現在保存されている輝度Ｙの値に置き換える（ステップＳ５）。続いて、このようにステップＳ４及びステップＳ５で変換及び置換した色度ｘ，ｙ及び輝度Ｙの値を、図１に示すように、色温度の設定値として映像表示装置７に対して出力する（ステップＳ６）。
【００４８】
続いて、ステップＳ４及びステップＳ５で変換及び置換した色度ｘ，ｙ及び輝度Ｙの値をＲ，Ｇ，Ｂの値に逆変換することにより、ユーザーの操作による色温度設定の次の開始点の値を算出する。すなわち、ステップＳ４及びステップＳ５で変換及び置換した色度ｘ，ｙ及び輝度Ｙの値を、ステップＳ１におけるのと同じ計算によってＲ，Ｇ，Ｂの値に変換し、その変換したＲ，Ｇ，Ｂの値を次の開始点とする（ステップＳ７）。
【００４９】
例えば前述のようにステップＳ４で色度ｘ’，ｙ’が求められた場合、ステップＳ７では、下記のようにして次の開始点Ｒ’’，Ｇ’’，Ｂ’’が求められることになる。
Ｘ’’＝ｘ’＊（Ｙ／ｙ’）
Ｙ＝Ｙ
Ｚ’’＝（１−ｘ’−ｙ’）＊（Ｙ／ｙ’）
Ｒ’’＝ａ１１＊Ｘ’’＋ａ１２＊Ｙ＋ａ１３＊Ｚ’’
Ｇ’’＝ａ２１＊Ｘ’’＋ａ２２＊Ｙ＋ａ２３＊Ｚ’’
Ｂ’’＝ａ３１＊Ｘ’’＋ａ３２＊Ｙ＋ａ３３＊Ｚ’’
【００５０】
ステップＳ７に続き、調整を続けるか（エンター釦４でまだ色温度調整の終了が指示されていないか）を判断する（ステップＳ８）。イエスであれば、ステップＳ２に戻ってステップＳ２以下の処理を繰り返す。
【００５１】
ステップＳ８でノーになると、直前にステップＳ４で変換した色度ｘ，ｙの値を、それまでメモリ６に保存されていた色度ｘ，ｙの値の代わりに、メモリ６に保存する（ステップＳ９）。そして処理を終了する。
【００５２】
この図６のステップＳ６で映像表示装置７に対して出力された色度ｘ，ｙ及び輝度Ｙの値は、図２に示したバックライト駆動制御部３８に供給される。バックライト駆動制御部３８は、この色度ｘ，ｙ及び輝度Ｙの値を、図６のステップＳ１におけるのと同じ計算によってＲ，Ｇ，Ｂの値に変換する。そして、この変換したＲ，Ｇ，Ｂの値に応じた駆動電流を、前述のＮ×Ｍ個のＬＥＤ駆動回路から、各単位発光ブロック３０の赤色ＬＥＤ群３０Ｒ，緑色ＬＥＤ群３０Ｇ，青色ＬＥＤ群３０Ｂに供給する。
【００５３】
また、バックライト駆動制御部３８は、この変換したＲ，Ｇ，Ｂの値に応じた駆動電流の供給を開始してからバックライト２０の特性が安定した時点の各センサ４１の検出出力の値を内部のメモリに目標値として記憶し、その後、各センサ４１の検出出力の値がこの目標値から変動すると、各センサ４１の検出出力の値が目標値に一致するように、各ＬＥＤ駆動回路から赤色ＬＥＤ群３０Ｒ，緑色ＬＥＤ群３０Ｇ，青色ＬＥＤ群３０Ｂに供給する駆動電流を制御する。ＬＥＤの発光特性には温度ドリフトや経年変化があるため駆動電流を一定にしても色温度が変化してしまうことがあるが、このようにＬＥＤからの赤色光，緑色光，青色光の光量を検出出力値が一定となるように駆動電流を制御することにより、設定された色温度を維持することができる。
【００５４】
以上に説明したように、この放送・業務用モニターでは、コントロールユニット１のノブ３を操作してＲ，Ｇ，Ｂのレベルを変化させると、予めメモリ６に保存されている色度ｘ，ｙ及び輝度Ｙの値に対応するＲ，Ｇ，Ｂの値を調整の開始点として、操作による変化後のＲ，Ｇ，Ｂの値に対応する色度ｘ，ｙ及び輝度Ｙの値が求められるが、この求められた色度ｘ，ｙ及び輝度Ｙの値のうち、輝度Ｙの値だけは、予めメモリ６に保存されている輝度Ｙの値（すなわちノブ３の操作とは無関係な一定の値）に置換される。そして、輝度Ｙの値だけをこの一定の値に置換した色度ｘ，ｙ及び輝度Ｙの値が、色温度の設定値として映像表示装置７に対して出力される。
【００５５】
このように、色度ｘ，ｙのほうはマニュアル操作による変化後のＲ，Ｇ，Ｂの値に対応するが、輝度Ｙのほうは常に一定となる色度ｘ，ｙ及び輝度Ｙが、色温度の設定値として出力される。これにより、従来と同じくＲ，Ｇ，Ｂのレベルをマニュアル操作で変化させることによって映像表示装置の色温度調整を行い、しかも、輝度を一定に維持するための操作（トラッキング）を行うことなく輝度の変化を防止することができる。これにより、直感的な色温度調整を行うことができ、しかも、調整作業が容易になり、調整に要する時間も短縮されるという効果が得られる。
【００５６】
なお、以上の実施の形態では、操作部であるコントロールユニット１とモニター本体である映像表示装置７とが分離した放送・業務用モニターに本発明を適用している。しかし、これに限らず、操作部とモニター本体とが一体となった放送・業務用モニターや、放送・業務用モニター以外の映像表示装置にも本発明を適用してよい。
【００５７】
また、以上の実施の形態では、ＬＥＤをバックライトに用いた液晶ディスプレイの色温度を調整するために本発明を適用している。しかし、これに限らず、ＬＥＤ以外の発光素子をバックライトに用いた液晶ディスプレイや、液晶ディスプレイ以外の映像表示装置の色温度を調整するために本発明を適用してもよい。
【図面の簡単な説明】
【００５８】
【図１】本発明を適用した放送・業務用モニターの全体構成を示すブロック図である。
【図２】図１の映像表示装置の構成を示すブロック図である。
【図３】図２の液晶パネル及びバックライト分の構造を示す図である。
【図４】図３の発光部におけるＬＥＤ及び光センサの配置状態を示す図である。
【図５】図４の各単位発光ブロックを構成する赤色ＬＥＤ，緑色ＬＥＤ，青色ＬＥＤの接続状態を示す図である。
【図６】図１のユーザー設定制御部が実行する色温度調整処理を示すフローチャートである。
【符号の説明】
【００５９】
１  コントロールユニット、  ２  操作パネル、 ３  ノブ、  ４  エンター釦、  ５  ユーザー設定制御部、  ６  メモリ、  ７  映像表示装置、  １０  液晶パネル、  ２０  バックライト、  ２４Ｒ  赤色ＬＥＤ、  ２４Ｇ  緑色ＬＥＤ、  ２４Ｂ  青色ＬＥＤ、  ３０  単位発光ブロック、  ３０Ｒ  赤色ＬＥＤ群、  ３０Ｇ  緑色ＬＥＤ群、  ３０Ｂ  青色ＬＥＤ群、  ３８  バックライト駆動制御部、  ４１  光センサ
【図１】
2009077312.tif 000003
【図２】
2009077312.tif 000004
【図３】
2009077312.tif 000005
【図４】
2009077312.tif 000006
【図５】
2009077312.tif 000007
【図６】
2009077312.tif 000008